(57)【要約】      （修正有）【課題】封筒の傾行の問題を解決可能な封筒供給装置及び封緘装置の提供を目的とする。【解決手段】複数の封筒が載置される載置台と、前記載置台上に載置された封筒を下流側へ搬送する搬送ローラ３１と、搬送方向と直交する搬送幅方向に間隔をおいて複数設けられ、個々独立したばね３７により搬送ローラ３１側に付勢されるとともに、搬送ローラ３１に対し個別に近接離間する捌きローラ３２と、各ばね３７の付勢力を捌きローラ３２毎に調整する捌き圧調整手段４０とを備えた。【選択図】図５
2015187013.tif 000002
【特許請求の範囲】
【請求項１】
封筒が載置される載置台と、前記載置台上に載置された封筒を下流側へ搬送する搬送ローラと、載置台上に設けられ、封筒の幅方向両端を規制する一対のガイド板と、載置台から前記搬送ローラによって搬送された封筒に糊を塗布する糊塗布部と、糊塗布した封筒を封止する封止部とを備え、載置台における搬送幅方向中央から左右いずれかに移動した位置に載置された封筒の両端を規制するガイド板の位置を検出するガイド板位置センサを設け、前記ガイド板位置センサの検出結果に基づいて、糊塗布部における封筒への糊の塗布位置を制御することを特徴とする封緘装置。
【請求項２】
ガイド板位置センサは、封筒の厚さが他より厚くなっている箇所が、封筒を分離する捌きローラに接触しないよう封筒の両端を規制するガイド板の位置を検出する請求項１に記載の封緘装置。
【請求項３】
ガイド板は、モータと、モータの駆動によりガイド板を搬送幅方向へ移動する移動手段とを備えた請求項１に記載の封緘装置。
【発明の詳細な説明】
【技術分野】
【０００１】
本発明は、冊子等の内容物が封入された封筒を、処理部へ搬送する封筒供給装置及び該封筒供給装置を備えた封緘装置に関する。
【背景技術】
【０００２】
従来、手作業による封緘作業に対し、自動的に糊を塗布し、フラップに折り目を形成し、フラップを折り畳んで封筒本体側に貼着する封緘装置が開発されている（特許文献１及び２）。
【０００３】
上記封緘装置は、たとえば、封筒を供給する封筒供給部と、フラップに折り目を形成する折り目形成部と、フラップに糊を塗布する糊塗布部と、フラップを折り畳んで封筒本体に貼着する封止部とを備えると共に、封筒を搬送する複数の搬送ローラ機構を備えている。
【先行技術文献】
【特許文献】
【０００４】
【特許文献１】特開２００６−１５１５１８号公報
【特許文献２】特開平９−１７５０８９号公報
【発明の概要】
【発明が解決しようとする課題】
【０００５】
従来の封緘装置では、内容物を封入した封筒の搬送時、内容物の厚さが搬送幅方向で変化し、一部のみ厚くなっている場合には、封筒を供給する封筒供給部において、適正に封筒を搬送し、封緘処理することができないという不具合が生じる。
【０００６】
本発明の目的は、適正に封筒を搬送し、封緘処理することが可能な封緘装置を提供することである。
【課題を解決するための手段】
【０００７】
上記課題を解決するため、本発明は、封筒が載置される載置台と、前記載置台上に載置された封筒を下流側へ搬送する搬送ローラと、載置台上に設けられ、封筒の幅方向両端を規制する一対のガイド板と、載置台から前記搬送ローラによって搬送された封筒に糊を塗布する糊塗布部と、糊塗布した封筒を封止する封止部とを備え、載置台における搬送幅方向中央から左右いずれかに移動した位置に載置された封筒の両端を規制するガイド板の位置を検出するガイド板位置センサを設け、前記ガイド板位置センサの検出結果に基づいて、糊塗布部における封筒への糊の塗布位置を制御することを特徴とする封緘装置である。
【０００８】
本発明は、前記封緘装置において、次のような構成を採用することができる。
（ａ）ガイド板位置センサは、封筒の厚さが他より厚くなっている箇所が、封筒を分離する捌きローラに接触しないよう封筒の両端を規制するガイド板の位置を検出する。
（ｂ）ガイド板は、モータと、モータの駆動によりガイド板を搬送幅方向へ移動する移動手段とを備える。
【発明の効果】
【０００９】
（１）本発明によると、載置台におけるガイド板の搬送幅方向の位置を検出するガイド板位置センサを設け、前記ガイド板位置センサの検出結果に基づいて、糊塗布部における封筒への糊の塗布位置を制御するので、使用者が封筒の厚さの違いに応じて載置台上の封筒載置位置を調整し、この調整後の位置に基づいて、糊塗布位置を変更することができ、封筒を１枚ずつ適正に搬送可能であり、正確に封緘処理を行うことが可能である。
【００１０】
（２）ガイド板位置センサは、封筒の厚さが他より厚くなっている箇所が、封筒を分離する捌きローラに接触しないよう封筒の両端を規制するガイド板の位置を検出する場合は、封筒を１枚ずつより適正に搬送可能であり、正確に封緘処理を行うことが可能である。
（３）ガイド板は、モータと、モータの駆動によりガイド板を搬送幅方向へ移動する移動手段とを備えた場合は、ガイド板の位置を自動で調整可能であり、封筒の幅方向の厚さが異なる箇所があっても、容易に封緘処理することができる。
【図面の簡単な説明】
【００１１】
【図１】参考例として示す封緘装置の全体斜視図である。
【図２】図１の封緘装置の内部の平面図である。
【図３】図２のI-I断面図である。
【図４】図３のII-II断面拡大図である。
【図５】捌きローラ機構の部分拡大斜視図である。
【図６】捌きローラ機構の動作を示す図である。
【図７】図３のIII-III断面図である。
【図８】捌きローラ機構の使用態様を示す断面図である。
【図９】他の参考例として示す封筒供給装置の捌きローラ機構の使用態様を示す断面図である。
【図１０】本発明の一実施形態に係る封筒供給装置の内部の平面図である。
【図１１】図１０のIV-IV断面拡大図である。
【図１２】前記封筒供給装置の捌きローラ機構の使用態様を示す断面図である。
【発明を実施するための形態】
【００１２】
（封緘装置）
図１乃至図３は、参考例として示す封緘装置の全体の構成を示している。図１は、封緘装置Ｋの全体の斜視図である。図１において、封筒Ｎの搬送経路は、往路と復路を有する往復式（あるいはスイッチバック式）となっており、往路の搬送方向を矢印Ｆ１で示し、復路の搬送方向を矢印Ｆ２で示している。また、説明の都合上、往路搬送方向Ｆ１側を装置の「前側」と称し、搬送方向Ｆ１（及びＦ２）と直交する方向を、搬送幅方向Ｗと称して説明する。
【００１３】
封緘装置Ｋは、本体ケース４の後側の上段に、未封緘状態の封筒Ｎを積載する封筒供給部２が設けられ、下段に、封緘後に排出される封筒Ｎを積載する封筒受け部３が設けられている。本体ケース４の搬送幅方向Ｗの一端部側には、操作パネル５が設けられている。
【００１４】
図２は装置内部の平面図、図３は図２のI-I断面図であり、図３において、本体ケース４内には、後側から順に、第１の搬送ローラ機構としての役目も果たす捌きローラ機構１１、第２の搬送ローラ機構１２、第３の搬送ローラ機構としての役目も果たす封止部１３、糊塗布部１４、折り目形成部１５、及び第４の搬送ローラ機構としての役目も果たす位置決め用ローラ機構１６が配設されている。封筒供給装置１は、封筒供給部２、捌きローラ機構１１及び第２の搬送ローラ機構１２により構成される。
【００１５】
（封筒供給部２）
図２、３において、封筒供給部２は、複数の封筒Ｎが載置される載置台２１と、載置台２１上に設けられ、封筒Ｎの幅方向両端を規制する左右一対のガイド板２２と、載置台２１に形成された開口から上方に突出する複数の供給ローラ２３を備えており、該供給ローラ２３の表面には、搬送幅方向Ｗに延びる多数の切り込み溝が形成されている。一対のガイド板２２は、載置台２１上に載置された封筒Ｎの前端縁が当接する前板１９に連結され、前記前板１９上面には、ガイド板２２の搬送幅方向Ｗへの移動及び移動後の該ガイド板２２の固定に用いる摘み１８が設けられている。ガイド板２２の前端下部及び後端下部には、それぞれ載置台２１に設けたガイド板案内用の開口７７に挿通され、下方に延びる案内棒７２が設けられており、一対のガイド板２２が封筒Ｎの大きさに応じて、搬送幅方向Ｗの位置が調節自在である。
【００１６】
各供給ローラ２３は、搬送幅方向Ｗの一端部に設けられたギヤ伝達機構２４及び第１のベルト伝達機構２５を介して、第１の駆動モータ２６に連結し、該第１の駆動モータ２６により、総ての供給ローラ２３が同期回転するようになっている。
【００１７】
（捌きローラ機構１１）
図４は第１の搬送ローラ機構としての役目も果たす捌きローラ機構１１の断面図であり、図５は、前記捌きローラ機構１１の部分拡大斜視図である。図４、５において、捌きローラ機構１１は、往路搬送経路の下側に配置された搬送ローラ３１と、該搬送ローラ３１の上側に配置された捌きローラ３２とから構成されている。この搬送ローラ３１は、載置台２１上に載置され、供給ローラ２３により搬送された封筒Ｎを更に下流側へ搬送する。図４に示すように、捌きローラ３２は、搬送幅方向Ｗに間隔おいて４個配設され、搬送ローラ３１も、搬送幅方向Ｗに間隔をおいて、前記各捌きローラ３２に対応する位置に４個配設されている。
【００１８】
図４において、４個の搬送ローラ３１は共通の一本の駆動軸３３に固着されており、該駆動軸３３は、左右側壁３０に回転自在に支持されると共に、軸方向の一端部側が前記ギヤ伝達機構２４に連結されている。すなわち、４個の搬送ローラ３１は、共通の駆動軸３３により一体的に回転し、且つ、ギヤ伝達機構２４を介して前記供給ローラ２３とも同期回転するように構成されている。
【００１９】
一方、捌きローラ３２は、１本ずつ独立したローラ支軸３４に、ワンウエイクラッチ３５を介して、一方向のみ回転可能にそれぞれ支持されており、各ローラ支軸３４は、それぞれローラホルダー３６に固定されている。各捌きローラ３２の搬送幅方向Ｗの寸法は、搬送ローラ３１の搬送幅方向Ｗの寸法よりも小さくなっている。
【００２０】
図５において、搬送ローラ３１は、封筒Ｎを往路搬送方向Ｆ１に送り出すように、駆動軸３３と共に矢印Ａ１方向に回転駆動される。
【００２１】
捌きローラ３２のローラ支軸３４は、ローラホルダー３６の前下端部に支持されており、捌きローラ３２は、前記ワンウエイクラッチ３５の作用により、ローラ支軸３４回りに矢印Ｂ１方向へのみ回転可能で、逆方向へは回転しないように構成されている。ローラホルダー３６は、その後下端部が、揺動支軸３８に揺動自在に支持されており、矢印Ｃ１方向及び矢印Ｃ２方向に揺動する。これにより、各捌きローラ３２及びローラ支軸３４は、個々独立して、揺動支軸３８回りに上下方向に揺動可能となっている。すなわち、搬送ローラ３１に対し、４個の捌きローラ３２は、個々独立して上下方向に接近離間自在となっている。
【００２２】
各ローラホルダー３６の後上端部には、コイルばねにより構成されるばね３７の後端部がそれぞれ係止され、このばね３７は前方に延び、前端部が左右側壁３０に架設された固定壁３９に係止されている。すなわち、ローラホルダー３６の後上端部と前方の固定壁３９との間にばね３７を張設することにより、各ローラホルダー３６を揺動軸３８回りに搬送ローラ３１側へ矢印Ｃ１方向に付勢し、搬送ローラ３１に当接させている。
【００２３】
ローラホルダー３６の前上端部には、捌き圧調整手段４０を備えている。捌き圧調整手段４０は、ローラホルダー３６に係止する係止部材４４を備えており、係止部材４４は、ばね３７の付勢力に抗してローラホルダー３６を、揺動軸３８を軸心に矢印Ｃ２方向へ揺動させることで、捌きローラ３２を搬送ローラ３１に対し離間させる。本参考例では、係止部材４４は、螺子４６により構成され、該螺子４６が装置本体５４の固定壁３９から上方に突出した突出壁部４７を貫通して設置されている。突出壁部４７には、螺子４６が螺合する雌螺子穴５０が形成され、螺子４６の後端部は、ローラホルダー３６の前上端部から上方に突出した当接部４８に当接している。図６において、同図（ａ）に示す螺子４６を手動により回転することで、同図（ｂ）に示すように、該螺子４６は後側へ螺進し、螺子４６の後端部が当接部４８を押すことで、ローラホルダー３６がばね３７の付勢力に抗して揺動軸３８回りに矢印Ｃ２の方向へ回動し、捌きローラ３１は搬送ローラ３１から所定量Ｌだけ離れる。
【００２４】
（第２の搬送機構１２）
図３において、第２の搬送ローラ機構１２は、往路搬送経路の下側に配置された搬送ローラ４１と、該搬送ローラ４１の上側に配置された押さえローラ４２とから構成されており、搬送ローラ４１は、搬送経路の搬送幅方向Ｗの略全幅に亘るように形成され、押さえローラ４２は、捌きローラ３２と同様に、搬送幅方向Ｗに間隔おいて４個配設されている。図示省略するが、この４個の押さえローラ４２の各ローラ支軸は、捌きローラ３２と同様に、それぞれローラホルダーに回転自在に支持され、該ローラホルダーは、揺動軸を軸心として揺動自在となっている。
【００２５】
図２に示すように、搬送ローラ４１の駆動軸は、左右側壁３０に回転自在に支持されると共に、軸方向の一端が、第２のベルト伝達機構４５に連結され、該第２のベルト伝達機構４５は、図３に示す第２の駆動モータ４９に連結されている。
【００２６】
（封止部１３）
封止部１３は、往路兼復路の搬送経路の下側に配置された搬送ローラ５１と、該搬送ローラ５１の上側に配置された押さえローラ５２と、封筒検出センサー５８とから構成されており、搬送ローラ５１及び押さえローラ５２は、共に搬送経路の搬送幅方向Ｗの略全幅に亘るように形成される。搬送ローラ５１の駆動軸は、左右側壁３０に回転自在に支持され、軸方向の一端が、第３のベルト伝達機構６９に連結され、該第３のベルト伝達機構６９は、図３に示す第３の駆動モータ７０に連結されている。
ている。
【００２７】
図３に示すように、封筒検出センサー５８は、発光素子と受光素子が封筒搬送経路を挟み上下に設置される。図２において、該封筒検出センサー５８は、搬送幅方向Ｗに間隔をおいて一対配置されており、封筒Ｎの後端（あるいは前端）の通過を検出することにより、封筒Ｎの通過の有無に加え、左右の検出センサー５８の検出タイミングの相違による封筒Ｎの斜行と、折り目形成部１５及び糊塗布部１４における封筒停止位置を決めるためのカウント開始位置を、検出する。
【００２８】
（糊塗布部１４）
図７は、図３におけるIII−III線矢視断面図である。糊塗布部１４は、搬送幅方向Ｗに延びる上下のガイドレール６１，６２に移動可能に支持されたスライダー６３と、該スライダー６３に昇降可能に支持されたカセットホルダー６４と、該カセットホルダー６４に着脱自在に装着されたテープ糊カセット６５と、テープ糊カセット６５の下方に配置された糊付け台６６とを備えている。前記ガイドレール６１，６２は、保持ケース６０の左右側壁に支持されている。スライダー６３は、ガイドレール６２と平行に敷設されたベルト式駆動機構６７に連結され、カセットホルダー６４は、スライダー６３内に配置された昇降用駆動モータ６８に連結されている。
【００２９】
テープ糊カセット６５は、搬送幅方向Ｗの一端部側の作動開始位置において、上昇位置から下降し、下降位置において加圧ローラ７５がテープ糊を糊付け台６６の上面に押し付け、次に、テープ糊カセット６５を搬送幅方向Ｗの他端部側に移動することにより、加圧ローラ７５を摩擦により回転させつつ、テープ糊の糊を封筒ＮのフラップＮａに塗布して行く。そして、搬送幅方向Ｗの他端終了位置まで至った後は、上昇位置まで上昇し、他端終了位置から搬送幅方向Ｗに移動して前記作業開始位置に戻る。
【００３０】
（折り目形成部１５）
図３において、折り目形成部１５は、前記糊塗布部１４の糊付け台６６の往路搬送方向Ｆ１側に隣接するように配置された下型８１と、該下型８１に上方から対向する上型８２とを備えており、下型８１には、略Ｖ字状の折り目形成用凹部８１ａが形成され、上型８２は、前記凹部８１ａに嵌入可能な厚板状に形成されている。前記上型８２は、昇降可能な昇降フレーム８３の上端部に固着され、昇降手段８４により昇降される。
【００３１】
（位置決め用ローラ機構１６）
図３において、第４の搬送ローラ機構としての役目も果たす位置決め用ローラ機構１６は、折り目形成部１５の前側に配置されており、搬送経路の下側に配置された搬送ローラ９１と、搬送ローラ９１に上方から対向する押さえローラ９２とから構成されている。搬送ローラ９１の駆動軸は、左右側壁３０に回転自在に支持され、軸方向の一端が、第３のベルト伝達機構６９に連結され、搬送ローラ９１は、第３の駆動モータ７０の駆動より封止部１３の搬送ローラ５１と同期回転するように構成されている。
【００３２】
（封緘作業）
封緘作業の際、図３において、封筒Ｎの後端側に位置するフラップＮａの糊付け面が上方に向き、該フラップＮａが開いた状態で、封筒供給部２の載置台２１上に積載される。積載された封筒Ｎは、供給ローラ２３の回転により、最下位から往路搬送方向Ｆ１に供給され、捌きローラ機構１１により、一枚ずつに分離される。
【００３３】
図５において、捌きローラ機構１１では、搬送ローラ３１と捌きローラ３２との間で封筒Ｎが挟持されており、搬送ローラ３１が矢印Ａ１方向に回転するのに対し、捌きローラ３２は矢印Ｂ１方向のみに回転し、矢印Ｂ１と逆方向へは回転しない。これにより、たとえ、封筒Ｎが重送されて来た場合でも、下側の封筒Ｎのみを供給し、上側の封筒Ｎを停止する。すなわち、一枚ずつ封筒Ｎを分離する。
【００３４】
封筒Ｎの分離には、搬送ローラ３１と捌きローラ３２との間に封筒Ｎを挟持することで、ばね３７の付勢力に抗して捌きローラ３２が持ち上がり、ローラホルダー３６が揺動軸３８を軸心として矢印Ｃ２方向へ回転する。封筒Ｎの内容物が、冊子や所定枚数重ねられた短冊状の紙片、ケース入りのＣＤ、液状サンプルや販促試供品などように比較的厚みのあるものの場合、封筒Ｎの幅方向で厚さが異なったものとなる。この結果、搬送幅方向Ｗに４個ある捌きローラ３２のうち封筒Ｎの厚さが厚くなった箇所に対応する一部の捌きローラ３２は、他の捌きローラ３２より搬送ローラ３１から大きく離間し、揺動軸３８を軸心とした矢印Ｃ２方向の回転量が大きくなる。すると、ばね３７の付勢力に強弱が生じ、一部の捌きローラ３２の挟持圧力が他より強くなり、封筒Ｎを傾斜して搬送してしまう。
【００３５】
そこで、使用者は、封筒Ｎの厚くなっている箇所のばね３７の付勢力を、捌き圧調整手段４０により調整する。その際、調整の必要な封筒Ｎの厚くなった箇所に対応する螺子４６を回転し、ローラホルダー３６を矢印Ｃ２方向へ揺動させ、図８に示すように、封筒Ｎの厚くなった箇所の捌きローラ３２ａと搬送ローラ３１との間の距離Ｌを、封筒Ｎの厚さより長くする。これにより、封筒Ｎの幅方向で、厚さが異なっても、封筒Ｎを挟持する力に強弱が生じることなく、封筒Ｎの薄い箇所に対応する捌きローラ３２ｂによって封筒Ｎを１枚ずつ分離するので、封筒Ｎの傾行を防止可能である。
【００３６】
捌きローラ機構１１において１枚に分離された封筒Ｎは、第２の搬送ローラ機構１２により、封止部１３へと搬送される。第３の搬送ローラ機構の役目も果たす封止部１３により、さらに往路搬送方向Ｆ１へ搬送され、糊塗布部１４及び折り目形成部１５を通り、封筒Ｎの大部分が位置決め用ローラ機構１６の上下のローラ９１，９２に挟持され、かつ、封筒Ｎの後端にあるフラップＮａが糊塗布部１４の糊受け台６６上に至った所定位置で、停止される。
【００３７】
上記停止状態において、糊塗布部１４では、封筒ＮのフラップＮａが糊塗布部１４の糊受け台６６に位置し、かつ、フラップＮａの根元（折り目形成位置）が折り目形成部１５に位置するように、位置決め用ローラ機構１６のローラ９１，９２により所定位置に停止保持される。そして、まず、折り目形成部１５の上型８２が中間位置まで下降し、フラップＮａの根元を軽く押さえることによりフラップＮａを水平状態に安定させると共に、糊付け台６６に押さえ付け、続いて、糊塗布部１４のテープ糊カセット６５が下降位置まで下降し、下降位置において加圧ローラ７５がテープ糊を糊付け台６６の上面に押し付け、次に、テープ糊カセット６５を搬送幅方向Ｗの他端部側に移動することにより、加圧ローラ７５を摩擦により回転させつつ、テープ糊の糊を封筒ＮのフラップＮａに塗布して行く。
【００３８】
糊付け工程終了後、折り目形成部１５の上型８２は、中間位置からさらに最下位置まで下降し、これにより、フラップＮａの根元に折り目を形成し、フラップＮａを上方へ傾斜させる。
【００３９】
その後、位置決め用ローラ機構１６の各ローラ９１，９２及び封止部のローラ５１，５２が反転することにより、封筒Ｎは復路搬送方向Ｆ２に搬送され、封止部１３のローラ５１，５２間を通過することにより、フラップＮａが封筒本体Ｎｂに貼着され、封筒受け部３に排出される。
【００４０】
（捌きローラ機構の他の参考例）
図９は、捌きローラ機構１１の他の参考例を示している。図９では、捌き圧調整手段４０ａが、螺子４６に替えて、モータ(図示省略）の駆動によって回動するカム機構５４を備え、該カム機構５４が、ローラホルダー３６の前端部に当接され設置されている。また、新たに、厚さセンサ５５を設けている。厚さセンサ５５は、搬送ローラ３１と捌きローラ３２の間に挟持した封筒Ｎの搬送幅方向Ｗにおける厚さ情報を検出する。
【００４１】
図９では、厚さセンサ５５が、ローラホルダー３６の後面部に設置された反射板５６と、該反射板５６の後方に設置された反射型センサ５７とにより構成され、反射型センサ５７の発光素子から発した光を反射板５６で反射し、反射型センサ５７の受光素子に受光させ、ローラホルダー３６と反射型センサ５７設置位置との距離を検出する。搬送ローラ３１と捌きローラ３２の間に挟持した封筒Ｎの厚さＦに応じて、ローラホルダー３６の揺動量が変化するので、ローラホルダー３６の反射型センサ５７設置位置からの距離を検出することで、封筒Ｎの厚さ情報が得られる。
【００４２】
この厚さセンサ５５により検出された厚さ情報に基づいて、個々の捌き圧調整手段４０ａを制御する。封筒Ｎの厚さが幅方向で異なる場合、捌きローラ機構１１に至った封筒Ｎを、図９（ｂ）において一点鎖線で示すように、搬送ローラ３１と捌きローラ３２との間に挟んだ状態で一旦停止する。そして、４個の捌きローラ３２の上方への変位量を、それぞれ厚さセンサ５５の検出値を基に演算し、封筒Ｎの幅方向における厚さＦの分布を得る。得られた厚さ情報に基づいて、各モータを駆動するかどうかを決定し、封筒Ｎの他の箇所より所定量以上厚くなっている箇所に対応する捌きローラ３２を、該捌きローラ３２と搬送ローラ３１との間の距離Ｌが、封筒Ｎの厚さＦより長くなるまで揺動させる。これより、封筒Ｎは、幅方向で厚さの薄い箇所に対応する捌きローラ３２により分離され、１枚の封筒Ｎのみ下流側へ搬送することができ、封筒Ｎの内容物が幅方向で厚さが異なっても、斜行することなく適正に搬送可能である。  
【００４３】
(実施形態）
図１０，１１は、本発明の一実施形態にかかる封緘装置Ｋａの封筒供給部２を示している。本実施形態の封緘装置Ｋａの構成は上記参考例と略同じである。図１０は、封筒供給部２ａの平面図の一部であり、図１１は、図１０のIV-IV断面図である。図１０，１１では、封筒供給部２ａのガイド板２２ａの下部に、ガイド板位置センサ５９を設けている。ガイド板位置センサ５９は、載置台２１におけるガイド板２２ａの搬送幅方向Ｗの位置を検出する。ガイド板２２ａの後端下部に設けられたガイド板案内用の開口７７に挿通され、下方に延びる各案内棒７２ａの下端部は、載置台２１の封筒Ｎ載置面の下方で前方へ屈曲して延在し、搬送幅方向Ｗに延びるよう設置されたラック７３にそれぞれ連結されている。各ラック７３の下面には、該ラック７３の搬送幅方向Ｗ略中央部に設置されたピニオン７４が噛合しており、ピニオン７４の回転量がポテンションメーター７６により検出される。
【００４４】
また、糊塗布部１４では、前記ガイド板位置センサ５９の検出結果に基づいて、糊塗布部１４における封筒Ｎへの糊の塗布位置を制御する。
【００４５】
本実施形態にかかる封緘装置Ｋａを用いて封緘作業する際は、図１２に示すように、例えばカタログの袋とじ部分のように、封筒Ｎｃの厚さが幅方向の一部のみ厚くなっている箇所Ｔがある場合、載置台２１上に載置される封筒Ｎｃの位置が、使用者によって予め適正な位置に合わせされる。適正な位置とは、封筒Ｎｃの厚さが他より厚くなっている箇所Ｔが、複数の捌きローラ３２に接触することのないように、中央から左右いずれかに移動させた位置である。図１２では、封筒Ｎｃを左側へ移動させた場合を示す。
【００４６】
そして、使用者により、載置台２１上で、封筒Ｎｃが中央から左右いずれかに移動した位置に載置され、一対のガイド板２２ａが例えば図１２に示すように、封筒Ｎｃの幅方向両端が当接する位置に移動され、位置合わせされ、摘み１８の回転により当該位置に固定される。ガイド板２２ａの移動に伴いラック７３は、搬送幅方向Ｗに移動し、ピニオン７４を回動させ、ポテンションメーター７６によってピニオン７４の回転量が計測され、これにより、載置台２１におけるガイド板２２ａの搬送幅方向Ｗの位置が検出される。
【００４７】
載置台２１上の封筒Ｎｃが、供給ローラ２３の回転により載置台２１から往路搬送方向Ｆ１に供給され、捌きローラ機構１１に至ると、該封筒Ｎの厚さが他より厚くなっている箇所Ｔが、捌きローラ３２に接触することなく通過するとともに、厚さが薄い箇所に対応する捌きローラ３２よって１枚ずつ分離される。このように、封筒Ｎｃの厚い箇所Ｔに捌きローラ３２が接触しないので、封筒Ｎｃの薄い箇所に対応する捌きローラ３２によって封筒Ｎｃを略同等のばね３７の付勢力により挟持できる。そして、封筒Ｎｃの薄い箇所に対応する捌きローラ３２によって封筒Ｎｃを１枚ずつ分離し、封筒Ｎｃの傾行を防止可能である。
【００４８】
捌きローラ機構１１において１枚に分離された封筒Ｎｃは、第２の搬送ローラ機構１２、封止部１３を経て、糊塗布部１４に至り、フラップＮａの上面に糊が塗布される。このとき、テープ糊の糊を塗布する位置を、ガイド板２２ａの検出結果に合わせて搬送幅方向Ｗに移動し、中央から偏った位置にあるフラップＮａの一方の端部から他方の端部まで、糊塗布する。
【００４９】
これより、載置台２１の中央から偏った位置に封筒Ｎｃを載置する場合にも、ガイド板位置センサ５９の検出結果に基づいて、糊塗布部１４における封筒Ｎｃへの糊の塗布位置を制御することで、載置台２１における搬送幅方向Ｗの移動量と同じだけテープ糊カセット６５の糊塗布位置を移動し、フラップからはみ出すことなく適正に糊を塗布することができ、封緘処理することができる。
【００５０】
尚、上記参考例及び実施形態では、捌きローラ３２及び搬送ローラ３１を搬送幅方向Ｗに間隔をおいて、４個配設したが、捌きローラを搬送幅方向に間隔をおいて複数設ければよく、２個、３個、または５個以上としてもよい。また、捌きローラ３２のローラ支軸３８を、回転自在に支持するローラホルダー３６を備えたが、他の構成で捌きローラを支持してもよい。また、ばね３７の一端部が、ローラホルダー３６に係止されるとともに、他端部が装置本体の固定壁３９に係止されたが、他の機構でばねを係止してもよい。例えば、捌きローラの側方に伸びたローラ支軸にばねを係止してもよい。
【００５１】
また、捌き圧調整手段４０は、ローラホルダー３６に係止する係止部材４４を備え、係止部材４４は、螺子４６またはカム機構５４により構成したが、他の構成を用いてもよい。また、係止部材４４は、ばね３７の付勢力に抗してローラホルダー３６を、揺動軸３８を軸心に揺動させることで、捌きローラ３２を搬送ローラ３１に対し離間させたが、ばねの付勢力を強める方向に係止し、薄い封筒の重送を防止するようにしてもよい。
【００５２】
また、捌き圧調整手段４０、４０ａは、螺子４６の回動を手動で行って調整するか、厚さセンサ５５により検出された厚さ情報に基づいて、自動でモータを駆動し制御する構成としたが、これらに替えて、操作パネルより入力された封筒の搬送幅方向における厚さ情報に基づいて制御してもよく、捌きローラと搬送ローラとの距離を計測し厚さ情報を得てもよい。また、厚さセンサ５５は、反射板５６と反射型センサ５７とにより構成したが、他の構成としてもよい。
【００５３】
また、捌き圧調整手段４０，４０ａは、封筒Ｎの厚くなった箇所の捌きローラ３２が、封筒Ｎに接触しない高さＬとなるようばね３７の付勢力を調整し、薄い箇所に対応する捌きローラ３２により封筒Ｎを分離したが、封筒Ｎの厚くなった箇所の捌きローラを付勢するばねの付勢力を、他の捌きローラを付勢するばねの付勢力と略等しくなるよう調整してもよく、または所定量だけ弱くするように調整してもよい。これにより、捌きローラと封筒との接触圧力を調整することができ、封筒を１枚ずつ分離しやすくなる。
【００５４】
また、上記実施形態のガイド板２２，２２ａは、摘み１８が設けられ手動により搬送幅方向Ｗへの移動し、摘み１８の回転により所定位置に固定されたが、これに替えて、モータと、モータの駆動によりガイド板を搬送幅方向へ移動する移動手段とを備えることとしてもよい。
【００５５】
また、参考例及び実施形態では、搬送経路が往路と復路とを有する往復式の封緘装置Ｋを説明したが、一つの搬送方向のみを有する貫通式の搬送経路を有する封緘装置にも適用可能である。また、封筒供給装置１は、封筒供給部２、捌きローラ機構１１及び第２の搬送ローラ機構１２により構成したが、第２の搬送ローラ機構は省略可能である。また、封筒供給装置１により供給した封筒Ｎのフラップに糊を塗布し、封止する封緘装置に用いたが、これに限定されず、他の処理、例えば、封入機の後処理に用いてもよく、宛名や内容物の確認装置へ封筒を供給する際に用いてもよい。
【符号の説明】
【００５６】
１３  封止部
１４  糊塗布部
２１  載置台
２２  ガイド板
３１  搬送ローラ
５９  ガイド板位置センサ
Ｎ  封筒
【図１】
2015187013.tif 000003
【図２】
2015187013.tif 000004
【図３】
2015187013.tif 000005
【図４】
2015187013.tif 000006
【図５】
2015187013.tif 000007
【図６】
2015187013.tif 000008
【図７】
2015187013.tif 000009
【図８】
2015187013.tif 000010
【図９】
2015187013.tif 000011
【図１０】
2015187013.tif 000012
【図１１】
2015187013.tif 000013
【図１２】
2015187013.tif 000014